(57)【要約】      （修正有）【課題】開閉が自由にできるファスナーを利用・応用した近代的でユニークなストラップの提供。【解決手段】一本のファスナーを利用・応用して、開閉具３を開け閉めするだけで、輪を大きく・小さくすることが可能である。開けることによって二本、即ち輪になる。一本の時は、従来品（紐・帯紐・金属チェーン等）・の様に、もつれることはない利点がある。【効果】一本のファスナーを開けることによって、輪ができ、輪の大小が自由にできる。即ち、ストラップとなり、首にぶら下げたり、腕に通したり・はめたりできる。【選択図】図１
0003116968.tif 000002
【実用新案登録請求の範囲】
【請求項１】
ファスナー（チャック・ジッパーの類、以下ファスナーと言う）を利用・応用したストラップ（ひも・つりひも  の類、以下ストラップと言う）である。主に携帯電話に使用。腕に通して手で握ったり、手に巻き付けたり、ただ腕に通したりの使用方法がある。他に、鍵束や、まとめて束にしたり、その他、色々の束物に、吊り下げ用に使用するものである。
【請求項２】
ファスナーの素材は、プラスチック・金属等。カラーは、殆どの色をカバーしカラフルさをモットーとする。
【請求項３】
ファスナーの噛み合わせの部分・形状は、正方形・長方形・三角形・矩形・台形・瓢箪型・変形丸型、その他色々な形状（〔図３〕２）があり、それらを使用するものとする。ファスナーの噛み合わせ（２本が１本に成る噛み合わせ側）の形状は、ファスナーの機能を有するものとする。
【考案の詳細な説明】
【技術分野】
【０００１】  本考案は、通常出回っているものは普通の紐・鎖・チェーン等であるが一工夫してファスナーを利用・応用したストラップである。
【背景技術】
【０００２】  従来のストラップは、単なる紐・鎖・チェーン等で一本を輪にして使用するものだが、本考案は、一本（
【図２】
）のファスナーを利用・応用して、開けることによって二本（
【図１】
）となる、即ち一本がファスナーの開閉によって輪になる。
【考案の開示】
【考案が解決しようとする課題】
【０００３】  従来のストラップは、輪を大きく小さくするために、他の金具・用具・部品等を使用するが、ファスナー式ストラップは、ファスナーの金具（
【図３】
３．開閉具）を開け閉めすることで、輪を大きく小さくすることが可能である。
【課題を解決するための手段】
【０００４】  ファスナーを開けることによって、輪ができ、輪の大小が自由にできる。即ち、ストラップとなり、首にぶら下げたり、腕に通したり・はめたりできる。ファスナーを閉じた時は、通常の紐であれば「ねじれ」や「よじれ」が生じるが、本考案は１本となるため、それは起こらない特典がある。
【考案の効果】
【０００５】  従来品は、もつれたり・ねじれたりするが、本考案は輪を閉めることによって一本となり、その煩わしさがなくなる。シンプル・オブ・ライフとなる。
【考案を実施するための最良の形態】
【０００６】  ファスナーの単純な一本が、開くことによって、二本即ち輪になることが最大のポイントである。
【実施例】
【０００７】  シンプルな考えかたが、使用するに当たっても、如実に現れている。非常に、使い勝手の良いものである。
【産業上の利用可能性】
【０００８】  携帯電話の、爆発的な普及が、これらストラップ・メーカーに大きな衝撃を与え、種類・色・形態等は競って製造・販売されているのが現状である。この中にあって、本考案  即ち「ファスナー式ストラップ」は画期的商品となること間違いなしの感がある。
【図面の簡単な説明】
【０００９】
【図１】本考案の、ファスナーを開けたストラップの「斜視図」である。
【図２】本考案の、ファスナーを閉めたストラップの「斜視図」である。
【図３】本考案〔図１〕の「○」部分を拡大したストラップの「斜視図」である。
【符号の説明】
【０００１０】    １．ファスナー（閉めたところ→１本にしたところ）
２．ファスナー（開けたところ→２本にしたところ）
３．開閉具
４．着脱可能具
５．吊り下げ紐
【図１】
0003116968.tif 000003
【図２】
0003116968.tif 000004
【図３】
0003116968.tif 000005
【手続補正書】
【提出日】平成17年7月26日(2005.7.26)
【手続補正１】
【補正対象書類名】実用新案登録請求の範囲
【補正対象項目名】全文
【補正方法】変更
【補正の内容】
【実用新案登録請求の範囲】
【請求項１】
輪になるファスナーと、ファスナーを開閉するファスナーの開閉具と、ファスナーの端部に取り付けた着脱可能具とからなる、２本が１本になるファスナーの特徴を有するファスナー式ストラップ。
【請求項２】
ファスナーの素材は、プラスチックや金属からなり、カラフルな色からなる、請求項１に記載のファスナー式ストラップ。
【請求項３】
ファスナーの持つ噛み合わせ部分の構造・形状は、正方形・長方形・三角形・矩形・台形・瓢箪型・変形丸型を使用するものとし、ファスナーの噛み合わせで２本が１本に成るファスナーの持つ構造・機能を有するファスナーを利用した請求項１又は２に記載のファスナー式ストラップ。
【手続補正２】
【補正対象書類名】明細書
【補正対象項目名】全文
【補正方法】変更
【補正の内容】
【考案の詳細な説明】
【技術分野】
【０００１】  本考案は、通常出回っているものは普通の紐・鎖・チェーン等であるが一工夫してファスナー（チャック・ジッパーの類、以下ファスナーと言う）を利用・応用したストラップである。
【背景技術】
【０００２】  従来のストラップ（ひも・つりひも  の類、以下ストラップと言う）は、単なる紐・鎖・チェーン等で１本を輪にして使用するものだが、本考案は、１本（図２）のファスナーを利用・応用して、開けることによって２本（図１）となる、即ち１本がファスナーの開閉具（図１．２．３．の３）を開くことによって輪になる。
【考案の開示】
【考案が解決しようとする課題】
【０００３】  従来のストラップは、輪を大きく小さくするために、他の金具・用具・部品等を使用するが、ファスナー式ストラップは、ファスナーの開閉具（図１．２．３．の３．）を開け閉めすることで、輪を大きく小さくすることが可能である。長さも、長短色々製作する。そして、カラーは最近の技術向上でプラスチックやあらゆる金属に、多種のカラー着色が可能であるためカラフルなカラーが楽しめる。
【課題を解決するための手段】
【０００４】  ファスナーの開閉具を開けることによって、輪ができ、輪の大小が自由にできる。即ち、ストラップとなり、主に携帯電話に使用したり、他に、あらゆる携帯もの、ウォークマンや各種レコーダーに使用、首にぶら下げたり、腕に通して手で握ったり、手に巻き付けたり、ただ腕に通しての使用方法がある。他に、鍵束や、まとめて束にしたり、その他、色々の束物に、吊り下げ用に使用するものである。腕に通したり・はめたりできる。ファスナーを閉じた時は、通常の紐であれば「ねじれ」や「よじれ」が生じるが、本考案は１本となるため、それは起こらない特典がある。
【考案の効果】
【０００５】  従来品は、もつれたり・ねじれたりしているが、本考案は開閉具を閉めることによって輪が１本となり、その煩わしさがなくなる。シンプル・オブ・ライフとなる。
【考案を実施するための最良の形態】
【０００６】  ファスナーの単純な１本が、開くことによって、２本即ち輪になることが最大のポイントである。
【実施例】
【０００７】  シンプルな考えかたが、使用するに当たっても、如実に現れている。非常に、使い勝手の良いものである。
【産業上の利用可能性】
【０００８】  携帯電話の、爆発的な普及が、これらストラップ・メーカーに大きな衝撃を与え、種類・色・形態等は競って製造・販売されているのが現状である。この中にあって、本考案  即ち「ファスナー式ストラップ」は画期的商品となること間違いなしの感がある。
【図面の簡単な説明】
【０００９】
【図１】本考案の、ファスナーを開けたストラップの「斜視図」である。
【図２】本考案の、ファスナーを閉めたストラップの「斜視図」である。
【図３】本考案〔図１〕の「○」部分を拡大したストラップの「斜視図」である。
【符号の説明】
【０００１０】    １．ファスナー（閉めたところ→１本にしたところ）    ２．ファスナー（開けたところ→２本にしたところ）    ３．開閉具    ４．着脱可能具    ５．吊り下げ紐
【手続補正３】
【補正対象書類名】図面
【補正対象項目名】全文
【補正方法】変更
【補正の内容】
【書類名】              図面【図１】0003116968.tif 000006
【図２】0003116968.tif 000007
【図３】0003116968.tif 000008